【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
ａ）  熱可塑性ポリマー、
ｂ）  充填剤、
ｃ）  フェノール系酸化防止剤および／または加工安定剤、および
ｄ）  エポキシ官能性（メタ）アクリル酸誘導体、非官能性スチレン誘導体、および／または非官能性（メタ）アクリル酸誘導体の反復単位のコポリマー
を含む組成物。
【請求項２】
成分ａ）である熱可塑性ポリマーがポリオレフィン、ポリスチレン、ポリアミドまたはポリエステルである、請求項１に記載の組成物。
【請求項３】
成分ａ）である熱可塑性ポリマーが、ポリプロピレンまたはポリエチレンである、請求項２に記載の組成物。
【請求項４】
成分ｂ）である充填剤が、無機充填剤であり、且つ、炭酸カルシウム、タルク、カオリン、ウォラストナイト、炭酸マグネシウム、ドロマイト、硫酸カルシウム、硫酸バリウム、シリカ、三水酸化アルミニウム、水酸化マグネシウム、マイカ、粘土および天然または合成フィロシリケートからなる群から選択される、請求項１から３までのいずれか１項に記載の組成物。
【請求項５】
液体窒素吸着（ＢＥＴ法）によって測定される、充填剤表面積が、少なくとも３ｍ2／ｇ、より好ましくは５ｍ2／ｇ、最も好ましくは１０ｍ2／ｇである、請求項１に記載の組成物。
【請求項６】
成分ｂ）である充填剤が、ナノ粒子中の、モンモリロナイト、ベントナイト、バイデライト、マイカ、ヘクトライト、サポナイト、ノントロナイト、ソーコナイト、バーミキュライト、レディカイト、マガダイト、ケニヤアイト、ステベンサイト、ボルコンスコイト、またはそれらの混合物である、請求項１から５までのいずれか１項に記載の組成物。
【請求項７】
成分ｂ）である充填剤がアンモニウムまたはホスホニウム化合物によって変性されている、請求項５または６に記載の組成物。
【請求項８】
成分ｃ）であるフェノール系酸化防止剤が、式Ｉの化合物
【化１】
2013512979.tif 000001
［式中、
Ｒ1はＣ1〜Ｃ4−アルキルである、
ｎは１、２、３または４である、
Ｘはメチレン、
【化２】
2013512979.tif 000002
である、
Ｙは水素または−ＮＨ−である；  且つ
ｎが１である場合、
Ｘは
【化３】
2013512979.tif 000003
である、ここで、ＹはＲ2に結合しており、且つ
Ｒ2はＣ1〜Ｃ25−アルキル−である；  且つ
ｎが２である場合、
Ｘは
【化４】
2013512979.tif 000004
である、ここで、ＹはＲ2に結合しており、且つ
Ｒ2はＣ2〜Ｃ12−アルキレン、Ｃ4〜Ｃ12−アルキレンであって酸素または硫黄によって中断されたものである；  またはＹが−ＮＨ−である場合、Ｒ2は追加的に直接結合である；  且つ
ｎが３である場合、
Ｘはメチレンまたは
【化５】
2013512979.tif 000005
であり、ここで、エチレン基は、Ｒ2に結合されており、且つ、
Ｒ2は
【化６】
2013512979.tif 000006
であり；且つ
ｎが４である場合、
Ｘは
【化７】
2013512979.tif 000007
である、ここで、ＹはＲ2に結合しており、且つ
Ｒ2はＣ4〜Ｃ10−アルカンテトライルである］
である、請求項１に記載の組成物。
【請求項９】
成分ｃ）である加工安定剤が、式ＩＩ、ＩＩＩ、ＩＶまたはＶの化合物
【化８】
2013512979.tif 000008
［式中、
ｎ’は２の数であり、且つｙ’は１、２または３の数である；
Ａ’は、Ｃ2〜Ｃ18−アルキレン、ｐ−フェニレンまたはｐ−ビフェニレンである、
Ｅ’は、ｙ’が１である場合、Ｃ1〜Ｃ18−アルキル、−ＯＲ’1またはフッ素である；
Ｅ’は、ｙ’が２である場合、ｐ−ビフェニレンである；
Ｅ’は、ｙ’が３である場合、Ｎ（ＣＨ2ＣＨ2Ｏ−）3である；
Ｒ’1、Ｒ’2およびＲ’3は互いに独立して、Ｃ1〜Ｃ18−アルキル、Ｃ7〜Ｃ9−フェニルアルキル、シクロヘキシル、フェニル、または合計１〜１８個の炭素原子を有する１〜３つのアルキル基によって置換されたフェニルである；
Ｒ’14は水素、またはＣ1〜Ｃ9−アルキルである、
Ｒ’15は水素またはメチルである；
Ｘ’は直接結合である、
Ｙ’は酸素である、
Ｚ’は直接結合または−ＣＨ（Ｒ’16）−である、且つ
Ｒ’16はＣ1〜Ｃ4−アルキルである］
である、請求項１に記載の組成物。
【請求項１０】
成分（ｃ）が、トリス（２，４−ジ−ｔｅｒｔ−ブチルフェニル）ホスフィット、ビス（２，４−ジ−ｔｅｒｔ−ブチル−６−メチルフェニル）エチルホスフィット、ビス（２，４−ジ−ｔｅｒｔ−ブチルフェニル）ペンタエリトリトールジホスフィット、テトラキス（２，４−ジ−ｔｅｒｔ−ブチルフェニル）４，４’−ビフェニレンジホスホナイト、および／または式Ｉａ、Ｉｂ、Ｉｃ、ＩｄまたはＩｇの化合物
【化９】
2013512979.tif 000009
【化１０】
2013512979.tif 000010
である、請求項１から９までのいずれか１項に記載の組成物。
【請求項１１】
成分（ｄ）であるコポリマーが、グリシジル（メタ）アクリレート、スチレン、ブチルアクリレートおよびメチルメタクリレートのコポリマーであって、モノマー混合物の質量に対して５質量％より多くのグリシジル（メタ）アクリレートを有するものである、請求項１に記載の組成物。
【請求項１２】
追加的に、成分（ａ）、（ｂ）、（ｃ）および（ｄ）の他に、ナノコンポジット用変性剤、相溶化剤、光安定剤、分散剤または溶媒和剤、顔料、染料、可塑剤および／または強化剤からなる群から選択されるさらなる添加剤を含む、請求項１に記載の組成物。
【請求項１３】
成分（ａ）の質量に対して０．０３〜９０％の量の成分（ｂ）、
成分（ａ）の質量に対して０．０３〜１５％の量の成分（ｃ）、および
成分（ａ）の質量に対して０．０３〜１５％の量の成分（ｄ）
を含むマスターバッチの形態での請求項１に記載の組成物。
【請求項１４】
酸化、熱、または光に誘導される劣化に対する、熱可塑性ポリマーの安定化方法であって、請求項１に記載の成分（ｂ）、（ｃ）および（ｄ）の各々の少なくとも１つを前記材料に混合または適用することを含む方法。
【請求項１５】
酸化、熱または光に誘導される劣化に対する熱可塑性ポリマー用安定剤混合物としての、請求項１に記載の成分（ｂ）、（ｃ）および（ｄ）の混合物の使用。
【手続補正２】
【補正対象書類名】明細書
【補正対象項目名】００６６
【補正方法】変更
【補正の内容】
【００６６】
好ましくは、成分ｃ）である加工安定剤は、式ＩＩ、ＩＩＩ、ＩＶまたはＶの化合物である
【化１９】
2013512979.tif 000011
［式中、
ｎ’は２の数であり、且つｙ’は１、２または３の数である；
Ａ’は、Ｃ2〜Ｃ18−アルキレン、ｐ−フェニレンまたはｐ−ビフェニレンである、
Ｅ’は、ｙ’が１である場合、Ｃ1〜Ｃ18−アルキル、−ＯＲ’1またはフッ素である；
Ｅ’は、ｙ’が２である場合、ｐ−ビフェニレンである；
Ｅ’は、ｙ’が３である場合、Ｎ（ＣＨ2ＣＨ2Ｏ−）3である；
Ｒ’1、Ｒ’2およびＲ’3は互いに独立して、Ｃ1〜Ｃ18−アルキル、Ｃ7〜Ｃ9−フェニルアルキル、シクロヘキシル、フェニル、または合計１〜１８個の炭素原子を有する１〜３つのアルキル基によって置換されたフェニルである、
Ｒ’14は水素、Ｃ1〜Ｃ9−アルキルである、
Ｒ’15は水素またはメチルである；
Ｘ’は直接結合である、
Ｙ’は酸素である、
Ｚ’は直接結合または−ＣＨ（Ｒ’16）−である、且つ
Ｒ’16はＣ1〜Ｃ4−アルキルである］。